(57)【特許請求の範囲】
【請求項１】
ＭＴＣ（Ｍａｃｈｉｎｅ−Ｔｙｐｅ  Ｃｏｍｍｕｎｉｃａｔｉｏｎ）を行うユーザ機器（ＵＥ：ｕｓｅｒ  ｅｑｕｉｐｍｅｎｔ）によって実行される無線通信方法であって、
トランスポートブロックの繰り返しをｅＮｏｄｅＢ（ｅＮＢ）に送信し、
前記トランスポートブロックの繰り返しは、前記ｅＮＢがトランスポートブロックを正常に復号するのに前記トランスポートブロックの繰り返しセットが１つでは十分でない場合、１つのハイブリッド自動再送要求（ＨＡＲＱ：ｈｙｂｒｉｄ  ａｕｔｏｍａｔｉｃ  ｒｅｐｅａｔ  ｒｅｑｕｅｓｔ）処理が前記トランスポートブロックの複数の繰り返しセットを含み、
前記複数の繰り返しセットの各々は前記トランスポートブロックの複数の繰り返しを含み、１つのＨＡＲＱ処理における前記トランスポートブロックの複数の繰り返しセットにおける送信の最大繰り返し数は、前記ｅＮＢから送信された情報に基づき、
前記複数の繰り返しセットの各々の後に、前記トランスポートブロックが前記ｅＮＢによって正常に復号されたかどうかを示すためのフィードバックチャネルが続き、
前記フィードバックチャネルが前記トランスポートブロックは前記ｅＮＢによって正常に復号されなかったことを示す場合、前記ＵＥが、前記トランスポートブロックの別の繰り返しセットを続けて送信し、
前記フィードバックチャネルが前記トランスポートブロックは前記ｅＮＢによって正常に復号されたことを示す場合、前記ＵＥが、直近の制御チャネルに含まれる制御情報を少なくとも用いて前記トランスポートブロックとは異なるトランスポートブロックの繰り返しを続けて送信し、
前記フィードバックチャネルが受信されなかった場合、前記ＵＥが、次の制御チャネルを監視し、
前記複数の繰り返しセットの各々における前記トランスポートブロックの繰り返し回数に関する情報は、前記トランスポートブロックが正常に復号されたか否かを示す情報とともに受信される、無線通信方法。
【請求項２】
基地局に対してトランスポートブロックの第１の繰り返しセットを送信する送信機と、
前記基地局によって前記トランスポートブロックが正常に復号されたかどうかを示すフィードバックチャネルを受信する受信機を具備し、
前記基地局において前記トランスポートブロックが正常に復号されなかったことを前記フィードバックチャネルが示す場合、前記送信機は前記基地局に対してトランスポートブロックの第２の繰り返しセットを送信し、
前記基地局において前記トランスポートブロックが正常に復号されたことを示す場合、前記送信機が、直近の制御チャネルに含まれる制御情報を少なくとも用いて前記トランスポートブロックとは異なるトランスポートブロックの繰り返しを送信し、
前記フィードバックチャネルが受信されなかった場合、次の制御チャネルを監視し、
１つのＨＡＲＱ処理における前記トランスポートブロックの複数の繰り返しセットにおける送信の最大繰り返し数は前記基地局によって指示され、
前記複数の繰り返しセットの各々における前記トランスポートブロックの繰り返し回数に関する情報は、前記トランスポートブロックが正常に復号されたか否かを示す情報とともに受信される、
ＭＴＣ（Ｍａｃｈｉｎｅ−Ｔｙｐｅ  Ｃｏｍｍｕｎｉｃａｔｉｏｎ）を行う通信装置。
【発明の詳細な説明】
【技術分野】
【０００１】
本開示は、無線通信の分野に関し、より詳細には、無線通信方法および通信装置に関する。
【背景技術】
【０００２】
マシン型通信（ＭＴＣ：Ｍａｃｈｉｎｅ−Ｔｙｐｅ  Ｃｏｍｍｕｎｉｃａｔｉｏｎ）は、事業者にとって重要な収入源であり、事業者から見て大きな可能性を持っている。ＭＴＣではカバレッジを拡張する際、たとえば１５ｄＢというカバレッジ拡張要件を満たすために、各チャネルを複数回にわたって繰り返すことが基本的に必要となる。しかしながら、ｅＮＢは、チャネル状態情報（ＣＳＩ：Ｃｈａｎｎｅｌ  Ｓｔａｔｅ  Ｉｎｆｏｒｍａｔｉｏｎ）フィードバックを持たないか、ＵＥから粗いＣＳＩを取得するにすぎないため、正確な繰り返し回数を用いてＵＥの送信をガイドすることは困難である。
【先行技術文献】
【非特許文献】
【０００３】
【非特許文献１】３ＧＰＰ  Ｒｅｌｅａｓｅ  １２
【非特許文献２】３ＧＰＰ仕様書３６．８８８
【発明の概要】
【発明が解決しようとする課題】
【０００４】
非限定的かつ例示的な一実施形態によれば、アップリンク送信のための繰り返し時間を最適化するための手法が提供される。
【課題を解決するための手段】
【０００５】
本開示の第１の一般態様では、ユーザ機器（ＵＥ：ｕｓｅｒ  ｅｑｕｉｐｍｅｎｔ）によって実行される無線通信方法であって、トランスポートブロックの繰り返しをｅＮｏｄｅＢ（ｅＮＢ）に送信することを含み、ｅＮＢがトランスポートブロックを正常に復号するのにトランスポートブロックの繰り返しセットが１つでは十分でない場合、１つのハイブリッド自動再送要求（ＨＡＲＱ：ｈｙｂｒｉｄ  ａｕｔｏｍａｔｉｃ  ｒｅｐｅａｔ  ｒｅｑｕｅｓｔ）処理がトランスポートブロックの複数の繰り返しセットを含み、複数の繰り返しセットの各々は、トランスポートブロックの複数の繰り返しを含み、複数の繰り返しセットの各々の後に、トランスポートブロックがｅＮＢによって正常に復号されたかどうかを示すためのフィードバックチャネルが続き、フィードバックチャネルがトランスポートブロックはｅＮＢによって正常に復号されなかったことを示す場合、ＵＥが、トランスポートブロックの別の繰り返しセットを続けて送信する、無線通信方法が提供される。
【０００６】
本開示の第２の一般態様では、ｅＮＢによって実行される無線通信方法であって、ＵＥから送信されたトランスポートブロックの繰り返しを受信することを含み、ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、複数の繰り返しセットの各々は、トランスポートブロックの複数の繰り返しを含み、ｅＮＢは、複数の繰り返しセットの各々を受信した後に現在のＨＡＲＱ処理において受信したすべてのトランスポートブロックの繰り返しセットを組み合わせることによってトランスポートブロックがｅＮＢによって正常に復号されたかどうかをフィードバックチャネル内で示し、フィードバックチャネルがトランスポートブロックはｅＮＢによって正常に復号されなかったことを示す場合、ＵＥが、トランスポートブロックの別の繰り返しセットをｅＮＢが受信するように続けて送信する、無線通信方法が提供される。
【０００７】
本開示の第３の一般態様では、無線通信のためのＵＥであって、トランスポートブロックの繰り返しをｅＮＢに送信するように構成される、送信ユニットを備え、ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、複数の繰り返しセットの各々はトランスポートブロックの複数の繰り返しを含み、複数の繰り返しセットの各々の後に、トランスポートブロックがｅＮＢによって正常に復号されたかどうかを示すためのフィードバックチャネルが続き、フィードバックチャネルがトランスポートブロックはｅＮＢによって正常に復号されなかったことを示す場合、ＵＥが、トランスポートブロックの別の繰り返しセットを続けて送信する、ＵＥが提供される。
【０００８】
本開示の第４の一般態様では、無線通信方法のためのｅＮＢであって、ＵＥから送信されたトランスポートブロックの繰り返しを受信するように構成される、受信ユニットを備え、ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、複数の繰り返しセットの各々は、トランスポートブロックの複数の繰り返しを含み、ｅＮＢは、複数の繰り返しセットの各々を受信した後に現在のＨＡＲＱ処理において受信したすべてのトランスポートブロックの繰り返しセットを組み合わせることによってトランスポートブロックがｅＮＢによって正常に復号されたかどうかをフィードバックチャネル内で示し、フィードバックチャネルがトランスポートブロックはｅＮＢによって正常に復号されなかったことを示す場合、ＵＥが、トランスポートブロックの別の繰り返しセットをｅＮＢが受信するように続けて送信する、ｅＮＢが提供される。
【０００９】
本開示の第５の一般態様では、ＵＥによって実行される無線通信方法であって、ランダムアクセスのために第１のメッセージの繰り返しをｅＮＢに送信する、送信ステップと、第１のメッセージがｅＮＢによって正常に復号されたかどうかを示すために、ｅＮＢからフィードバックされる第２のメッセージを受信する、受信ステップとを含み、第２のメッセージが第１のメッセージはｅＮＢによって正常に復号されなかったことを示す場合、送信ステップおよび受信ステップが、第２のメッセージが第１のメッセージはｅＮＢによって正常に復号されたことを示すまで繰り返され、ｅＮＢが、ＵＥから受信したすべての第１のメッセージの繰り返しを組み合わせて第１のメッセージを復号する、無線通信方法が提供される。
【００１０】
本開示の第６の一般態様では、ｅＮＢによって実行される無線通信方法であって、ランダムアクセスのためにＵＥによって送信される第１のメッセージの繰り返しを受信する、受信ステップと、第１のメッセージがｅＮＢによって正常に復号されたかどうかを示すために第２のメッセージをフィードバックする、フィードバックステップとを含み、第２のメッセージが第１のメッセージはｅＮＢによって正常に復号されなかったことを示す場合、受信ステップおよびフィードバックステップが、第２のメッセージが第１のメッセージはｅＮＢによって正常に復号されたことを示すまで繰り返され、ｅＮＢが、ＵＥから受信したすべての第１のメッセージの繰り返しを組み合わせて第１のメッセージを復号する、無線通信方法が提供される。
【００１１】
本開示の第７の一般態様では、無線通信方法のためのＵＥであって、ランダムアクセスのために第１のメッセージの繰り返しをｅＮＢに送信するように構成される、送信ユニットと、第１のメッセージがｅＮＢによって正常に復号されたかどうかを示すために、ｅＮＢからフィードバックされる第２のメッセージを受信するように構成される、受信ユニットとを備え、第２のメッセージが第１のメッセージはｅＮＢによって正常に復号されなかったことを示す場合、送信ユニットおよび受信ユニットが、それ自体の動作を、第２のメッセージが第１のメッセージはｅＮＢによって正常に復号されたことを示すまで繰り返し、ｅＮＢが、ＵＥから受信したすべての第１のメッセージの繰り返しを組み合わせて第１のメッセージを復号する、ＵＥが提供される。
【００１２】
本開示の第８の一般態様では、無線通信方法のためのｅＮＢであって、ランダムアクセスのためにＵＥによって送信される第１のメッセージの繰り返しを受信するように構成される、受信ユニットと、第１のメッセージがｅＮＢによって正常に復号されたかどうかを示すために第２のメッセージをフィードバックするように構成される、フィードバックユニットとを備え、第２のメッセージが第１のメッセージはｅＮＢによって正常に復号されなかったことを示す場合、受信ユニットおよびフィードバックユニットが、それ自体の動作を、第２のメッセージが第１のメッセージはｅＮＢによって正常に復号されたことを示すまで繰り返し、ｅＮＢが、ＵＥから受信したすべての第１のメッセージの繰り返しを組み合わせて第１のメッセージを復号する、ｅＮＢが提供される。
【００１３】
本開示によれば、アップリンクトランスポートブロックに関する繰り返し回数は、送信条件に適合させることが可能である。これにより、時間−周波数リソースに加えてＵＥの電力も節減される。なぜなら、ＵＥは、確実に復号を成功させるために、必ずしも多数の繰り返しを毎回送信するとは限らないからである。加えて、ランダムアクセス中のアップリンクにおけるＵＥの繰り返し時間を最適化することもできる。
【００１４】
一般または特定の実施形態は、システム、方法、集積回路、コンピュータプログラム、記憶媒体、またはこれらの選択的組み合わせとして実装可能であることに留意されたい。
【００１５】
開示する実施形態の持つさらなる利益や利点は、本明細書および図面から明らかとなろう。そのような利益および／または利点は、種々の実施形態ならびに本明細書および図面の特徴によって個別に獲得することが可能であり、かかる利益や利点の１つまたは複数を得るために、それらすべてを実現する必要はない。
【００１６】
本開示に関する前述の特徴および他の特徴は、以下の記述および別記の各請求項に、添付の図面を併用することで、より完全に明らかなものとなろう。これらの図面は、本開示による実施形態のいくつかを描写するものにすぎず、よって本開示の範囲を限定するものではないということを踏まえたうえで、本開示の記述をさらに詳細なものとし、特殊性を付与するために、下記の各添付図面を使用する。
【図面の簡単な説明】
【００１７】
【図１】カバレッジ内でのＭＴＣに対するＨＡＲＱ処理を示す例示図
【図２】本開示の一実施形態による、ＵＥ側の無線通信方法のフローチャートを示す概略図
【図３】本開示の一実施形態による、例示的なＨＡＲＱ処理を示す概略図
【図４】本開示の一実施形態による、ｅＮＢ側の無線通信方法のフローチャートを示す概略図
【図５】本開示の一実施形態による、無線通信のためのＵＥを示す概略ブロック図
【図６】本開示の一実施形態による、無線通信のためのｅＮＢを示す概略ブロック図
【図７】本開示の一実施形態による、隣接した２つの例示的なＨＡＲＱ処理の例を示す概略図
【図８】本開示の一実施形態による、隣接した２つの例示的なＨＡＲＱ処理の別の例を示す概略図
【図９】本開示の一実施形態による、隣接した２つの例示的なＨＡＲＱ処理の別の例を示す概略図
【図１０】本開示の一実施形態による、フィードバックチャネルの３つの状態を説明するための概略図
【図１１】本開示の一実施形態による、アーリーストッピングと組み合わされたＳＰＳ機構を示す概略図
【図１２】本開示の一実施形態による、繰り返しセットの粒度調整の例を示す概略図
【図１３】本開示の一実施形態による、例示的なランダムアクセス処理を示す概略図
【発明を実施するための形態】
【００１８】
以下の詳細な説明では添付の図面が参照され、各図面はその一部を構成するものである。文脈上別段の断りのない限り、各図面において類似する記号は、類似する構成要素を示している。本開示の各態様は、多種多様な構成での改作、置き換え、組み合わせ、および設計が可能であり、その一切が明示的に予期され、かつ本開示の一部を成すものであることは容易に理解されよう。
【００１９】
ＭＴＣではカバレッジを拡張する際、ｅＮＢがＣＳＩフィードバックを持たないか、ＵＥから粗いＣＳＩを取得するにすぎないため、正確な繰り返し回数を用いてＵＥの送信をガイドすることは困難である。ｅＮＢは、アップリンク送信の成功率を、たとえば９９％にまで到達させるために、比較的大きい、または慎重を期した繰り返し回数（繰り返し数）を指示することがある。このような挙動により、ＵＥはより多くの電力を費やしてしまう。図１は、カバレッジ内でのＭＴＣに対するＨＡＲＱ処理を示す例示図である。図１に示すように、ｅＮＢは、物理ダウンリンク制御チャネル（ＰＤＣＣＨ：ｐｈｙｓｉｃａｌ  ｄｏｗｎｌｉｎｋ  ｃｏｎｔｒｏｌ  ｃｈａｎｎｅｌ）により、物理アップリンク共有チャネル（ＰＵＳＣＨ：ｐｈｙｓｉｃａｌ  ｕｐｌｉｎｋ  ｓｈａｒｅｄ  ｃｈａｎｎｅｌ）に対し、５０個の繰り返しを指示し（すなわち、指示繰り返し数が５０）、ＵＥは、アップリンクで５０個の繰り返しを送信する。そして、ｅＮＢは、ＵＥに対し、ＰＵＳＣＨが物理ハイブリッド自動再送要求指示チャネル（ＰＨＩＣＨ：Ｐｈｙｓｉｃａｌ  Ｈｙｂｒｉｄ−ＡＲＱ  Ｉｎｄｉｃａｔｏｒ  Ｃｈａｎｎｅｌ）によって正常に復号されたかどうかに関するフィードバックを行う。ただし、ＣＳＩの認識が不正確であるために、ｅＮＢが５０個の繰り返しを指示するものの、必要とされる繰り返し数は２５にすぎない場合もある（すなわち、ｅＮＢは２５個の繰り返しがあればＰＵＳＣＨを正常に復号することができる）。この場合、２５個の繰り返しが浪費されている。アップリンクにおける必要を超えた繰り返しにより、時間−周波数リソースに加え、ＵＥのかなりの電力が無駄となる。したがって、特にアップリンク送信に関し、繰り返し回数を可能な限り最適化することは極めて重要である。本開示は、ＵＥの電力と時間−周波数リソースを節減することを目的に、アップリンク送信のための繰り返し回数を最適化するための手法を提供するものである。
【００２０】
本開示では、本開示の原理を説明するための例として、ＭＴＣを用いることがある。しかし、本開示で開示される無線通信方法は、アップリンクにおいてトランスポートブロックの送信が繰り返される無線通信であれば、ＭＴＣのみならず、ＬＴＥの仕様に準拠する他の通信など、ＭＴＣ以外の無線通信に対しても適用可能であることに留意されたい。したがって、ＵＥとは、ＭＴＣ  ＵＥに限定されるものではなく、本開示で説明する通信方法を実行可能な、他のあらゆるＵＥであってよい。
【００２１】
（実施形態１）
本開示の第１の実施形態は、図２に示す、ＵＥによって実行される無線通信方法２００を提供するものである。同図は、本開示の第１の実施形態による、無線通信方法２００のフローチャートを概略的に示している。無線通信方法２００には、トランスポートブロックの繰り返しをｅＮＢに送信するステップ２０１が含まれる。本実施形態によれば、ｅＮＢがトランスポートブロックを正常に復号するのにトランスポートブロックの繰り返しセットが１つでは十分でない場合、１つのＨＡＲＱ処理がトランスポートブロックの複数の繰り返しセットを含むことができ、それら複数の繰り返しセットの各々はトランスポートブロックの複数の繰り返しを含み、それら複数の繰り返しセットの各々の後に、トランスポートブロックがｅＮＢによって正常に復号されたかどうかを示すためのフィードバックチャネルが続く。図３は、本開示の一実施形態による、例示的なＨＡＲＱ処理を示す概略図である。例示的なＨＡＲＱ処理では、ｅＮＢがＵＥに制御チャネル（たとえば、ＰＤＣＣＨ）を送信してアップリンク送信をスケジューリングし、次いで、ＵＥがトランスポートブロックの繰り返しをアップリンクチャネル（たとえば、ＰＵＳＣＨ）でｅＮＢに送信する。図３から見て取れるように、トランスポートブロックの繰り返しは、３つの繰り返しセットに分かれており、その各々には、たとえば１０個の繰り返しが含まれ得る。各繰り返しセット内の繰り返し数は、制御チャネル内で指示され得る。各繰り返しセットの送信後、ＵＥがトランスポートブロックを正常に復号したかどうかを示すために、フィードバックチャネル（たとえば、ＰＨＩＣＨ）が、ｅＮＢからＵＥへと送信される。ｅＮＢは、複数の繰り返しセットの各々を受信した後に現在のＨＡＲＱ処理において受信したすべてのトランスポートブロックの繰り返しセットを組み合わせることによってトランスポートブロックを復号し、トランスポートブロックがｅＮＢによって正常に復号されたかどうかをフィードバックチャネル内でＵＥに示す。トランスポートブロックはｅＮＢによって正常に復号されなかったとフィードバックチャネルが示す場合、ＵＥは、トランスポートブロックの別の繰り返しセットを続けて送信する。たとえば、フィードバックチャネルは、「ＡＣＫ」（たとえば、「１」）を用いて復号の成功を示し、「ＮＡＣＫ」（たとえば、「０」）を用いて復号の失敗を示す、１ビットのＰＨＩＣＨとすることができる。図３の例では、第１の繰り返しセットの受信後、ｅＮＢが第１の繰り返しセットを用いたトランスポートブロックの復号に失敗したため、同ｅＮＢは、復号に失敗したことを示している。次いで、ＵＥは、第２の繰り返しセットを送信する。第２の繰り返しセットの受信後、ｅＮＢが第１の繰り返しセットと第２の繰り返しセットを組み合わせることによってトランスポートブロックを復号するが、こちらも失敗したため、同ｅＮＢは、やはり復号に失敗したことを示す。次いで、ＵＥは、第３の繰り返しセットを送信する。第３の繰り返しセットの受信後、ｅＮＢは、第１の繰り返しセット、第２の繰り返しセット、および第３の繰り返しセットを組み合わせることによってトランスポートブロックを復号に成功し、復号が成功したことをＵＥに示す。復号が成功したという指示により、このデータパケットの送信は終了する。その後、ＵＥは、別のデータパケットを送信するか、次の制御チャネルを監視してよい。
【００２２】
上記の例では、繰り返しセットは３つ、各繰り返しセット内の繰り返しは１０個として説明されているが、本開示はこれに限定されるものではないことを留意されたい。各繰り返しセット内の繰り返し数は、適用シナリオに応じて決定されてよい。たとえば、チャネルコンディションが悪ければ、各繰り返しセット内の繰り返し数を増やして設定してよい。各繰り返しセット内の繰り返し数は、トランスポートブロックの送信に関連した制御チャネル内で指示可能であることが好ましい。１つのＨＡＲＱ処理における繰り返しセットの数については、ｅＮＢによるトランスポートブロックの復号がいつ成功したかに応じたものとなる。ただし、１つのＨＡＲＱ処理における１つのトランスポートブロックに対する最大繰り返し数が適用されてもよい。たとえば、１つのトランスポートブロックの最大繰り返し数は、トランスポートブロックの送信に関連した制御チャネルによって示されてよい。最大繰り返し数の指示形態は、各繰り返しセット内の繰り返しの数に関連した、最大繰り返し回数または繰り返しセットの最大数とすることができる。この場合、フィードバックチャネルが復号に成功していないと示していても、最大数に到達すれば、現在のトランスポートブロックの送信は終了することになる。最大繰り返し数を定義することにより、フィードバック検出の信頼性を向上させることができる。
【００２３】
本開示の第１の実施形態によれば、アップリンクトランスポートブロックに関する繰り返し回数は、送信条件に適合させることが可能である。これにより、時間−周波数リソースに加えてＵＥの電力も節減される。なぜなら、ＵＥは、確実に復号を成功させるために、必ずしも多数の繰り返しを毎回送信するとは限らないからである。図１を例として取り上げると、本開示の第１の実施形態によれば、ＵＥは常に５０個の繰り返しを送信するようなことはせず、毎回たとえば１０個の繰り返しを送信し、フィードバックを受信するようになる。ｅＮＢがトランスポートブロックを復号するのに２５個の繰り返しで十分な場合は、ＵＥは、繰り返しを３回送信した後に正のフィードバックを受信する（すなわち、合計３０個の繰り返しが送信される）。よって、図２の送信方法と比較すると２０個の繰り返しが節減可能となるため、ＵＥの電力が節減され得る。本開示によれば、少しばかり多くの制御チャネルが必要となる可能性もあるが、アップリンク送信はダウンリンク受信よりも格段に大きな電力を消費するため（たとえば、非特許文献１を参照）、ＵＥの電力の節減が可能であるということに留意されたい。
【００２４】
ｅＮＢ側では、本開示の第１の実施形態により、図４に示す、ｅＮＢによって実行される無線通信方法４００が提供される。同図は、本開示の第１の実施形態による、無線通信方法４００のフローチャートを概略的に示している。無線通信方法４００には、ＵＥから送信されたトランスポートブロックの繰り返しを受信するステップ４０１が含まれる。このとき、ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、それら複数の繰り返しセットの各々はトランスポートブロックの複数の繰り返しを含み、複数の繰り返しセットの各々を受信した後に現在のＨＡＲＱ処理において受信したすべてのトランスポートブロックの繰り返しセットを組み合わせることによってトランスポートブロックがｅＮＢによって正常に復号されたかどうかをフィードバックチャネル内で同ｅＮＢが示す。トランスポートブロックはｅＮＢによって正常に復号されなかったとフィードバックチャネルが示す場合、ＵＥは、ｅＮＢが受信するようにトランスポートブロックの別の繰り返しセットを続けて送信するため、ｅＮＢはトランスポートブロックの前記別の繰り返しセットを受信することが可能となる。方法２００に関する上記の記述は、方法４００にも当てはまることに留意されたい。
【００２５】
加えて、第１の実施形態は、上述の通信方法をＵＥとｅＮＢが実行することも可能にする。図５は、本開示の第１の実施形態による、無線通信のためのＵＥ５００を示す概略ブロック図である。ＵＥ５００は、トランスポートブロックの繰り返しをｅＮＢに送信するように構成される送信ユニット５０１を備え得る。このとき、ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、それら複数の繰り返しセットの各々はトランスポートブロックの複数の繰り返しを含み、それら複数の繰り返しセットの各々の後に、トランスポートブロックがｅＮＢによって正常に復号されたかどうかを示すためのフィードバックチャネルが続き、トランスポートブロックがｅＮＢによって正常に復号されなかったとフィードバックチャネルが示す場合、ＵＥがトランスポートブロックの別の繰り返しセットを続けて送信する。方法２００に関する上記の記述は、ＵＥ５００にも当てはまることに留意されたい。
【００２６】
本開示によるＵＥ５００には、各種データ処理およびＵＥ５００内の各ユニットの動作制御を行う関連プログラムを実行するためのＣＰＵ（Ｃｅｎｔｒａｌ  Ｐｒｏｃｅｓｓｉｎｇ  Ｕｎｉｔ：中央処理ユニット）５１０、ＣＰＵ５１０による種々の処理および制御を実行するのに必要な種々のプログラムを記憶するためのＲＯＭ（Ｒｅａｄ  Ｏｎｌｙ  Ｍｅｍｏｒｙ：読出し専用メモリ）５１３、ＣＰＵ５１０による処理および制御に関する手順において一時的に生成される中間データを記憶するためのＲＡＭ（Ｒａｎｄｏｍ  Ａｃｃｅｓｓ  Ｍｅｍｏｒｙ：ランダムアクセスメモリ）５１５、および／または、種々のプログラムやデータなどを記憶するためのストレージユニット５１７が任意選択で含まれてよい。上記の送信ユニット５０１、ＣＰＵ５１０、ＲＯＭ５１３、ＲＡＭ５１５、および／またはストレージユニット５１７などは、データ／コマンドバス５２０を介して相互接続されたうえ、相互間で信号を転送することが可能である。
【００２７】
上記の各ユニットは、本開示の範囲を限定するものではない。本開示の一実装形態によれば、上記送信ユニット５０１の機能はハードウェアによって実装されてよく、上記のＣＰＵ５１０、ＲＯＭ５１３、ＲＡＭ５１５、および／またはストレージユニット５１７が不要となる場合もある。あるいは、上記送信ユニット５０１の機能は、上記のＣＰＵ５１０、ＲＯＭ５１３、ＲＡＭ５１５、および／またはストレージユニット５１７などと連携した機能ソフトウェアによって実装されてもよい。
【００２８】
図６は、本開示の第１の実施形態による、無線通信のためのｅＮＢ６００を示す概略ブロック図である。ｅＮＢ６００は、ＵＥから送信されたトランスポートブロックの繰り返しを受信するように構成される受信ユニットを備え得る。このとき、ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、それら複数の繰り返しセットの各々はトランスポートブロックの複数の繰り返しを含み、ｅＮＢは、複数の繰り返しセットの各々を受信した後に現在のＨＡＲＱ処理において受信したすべてのトランスポートブロックの繰り返しセットを組み合わせることによってトランスポートブロックがｅＮＢによって正常に復号されたかどうかをフィードバックチャネル内で示し、トランスポートブロックがｅＮＢによって正常に復号されなかったとフィードバックチャネルが示す場合、ＵＥがトランスポートブロックの別の繰り返しセットをｅＮＢが受信するように送信し続ける。方法４００に関する上記の記述は、ｅＮＢ６００にも当てはまることに留意されたい。
【００２９】
本開示によるｅＮＢ６００には、各種データ処理およびｅＮＢ６００内の各ユニットの動作制御を行う関連プログラムを実行するためのＣＰＵ（Ｃｅｎｔｒａｌ  Ｐｒｏｃｅｓｓｉｎｇ  Ｕｎｉｔ：中央処理ユニット）６１０、ＣＰＵ６１０による種々の処理および制御を実行するのに必要な種々のプログラムを記憶するためのＲＯＭ（Ｒｅａｄ  Ｏｎｌｙ  Ｍｅｍｏｒｙ：読出し専用メモリ）６１３、ＣＰＵ６１０による処理および制御に関する手順において一時的に生成される中間データを記憶するためのＲＡＭ（Ｒａｎｄｏｍ  Ａｃｃｅｓｓ  Ｍｅｍｏｒｙ：ランダムアクセスメモリ）６１５、および／または、種々のプログラムやデータなどを記憶するためのストレージユニット６１７が任意選択で含まれてよい。上記の受信ユニット６０１、ＣＰＵ６１０、ＲＯＭ６１３、ＲＡＭ６１５、および／またはストレージユニット６１７などは、データ／コマンドバス６２０を介して相互接続されたうえ、相互間で信号を転送することが可能である。
【００３０】
上記の各ユニットは、本開示の範囲を限定するものではない。本開示の一実装形態によれば、上記受信ユニット６０１の機能はハードウェアによって実装されてよく、上記のＣＰＵ６１０、ＲＯＭ６１３、ＲＡＭ６１５、および／またはストレージユニット６１７が不要となる場合もある。あるいは、上記受信ユニット６０１の機能は、上記のＣＰＵ６１０、ＲＯＭ６１３、ＲＡＭ６１５、および／またはストレージユニット６１７などと連携した機能ソフトウェアによって実装されてもよい。
【００３１】
本開示の第１の実施形態に関する第１の例では、トランスポートブロックがｅＮＢによって正常に復号されたとフィードバックチャネルが示す場合、ＵＥは、別のトランスポートブロックの繰り返しを送信する前に、次の制御チャネルを監視する。換言すれば、１つのトランスポートブロックが正常に送信された場合、通信は、制御チャネル（たとえば、ＰＤＣＣＨ）から開始される別のＨＡＲＱ処理における別の転送の送信へと進む。図７は、本開示の第１の実施形態に関する第１の例による、２つの隣接する例示的なＨＡＲＱ処理を示す概略図である。第１のＨＡＲＱ処理の第３のフィードバックチャネル（たとえば、ＰＨＩＣＨ）が復号の成功を示した後、第１のＨＡＲＱ処理が終了し、ＵＥは第２のＨＡＲＱ処理を開始するために次の制御チャネルを監視する。第２のＨＡＲＱ処理における制御チャネルの受信後、ＵＥは、第２のＨＡＲＱ処理における制御チャネルのスケジューリングに基づき、別のトランスポートブロックの繰り返しを送信することができる。換言すれば、第１の例では、柔軟なスケジューリングのために各ＨＡＲＱ処理を制御チャネルとリンクさせながら、繰り返しのアーリーストッピングによってＵＥの電力を節減することが可能となる。
【００３２】
第１の実施形態の第２の例では、復号の成功を示すためのフィードバックチャネルが、復号の失敗を示すためのフィードバックチャネルとは異なったものとなる。とりわけ、復号の失敗を示すために、ＤＴＸ（Ｄｉｓｃｏｎｔｉｎｕｏｕｓ  Ｔｒａｎｓｍｉｓｓｉｏｎ：不連続送信）が使用される（負のフィードバック）。換言すれば、フィードバックチャネルは、それ自体がトランスポートブロックはｅＮＢによって正常に復号されていないことを示すとき、いかなる信号も送信しない。正のフィードバックの場合、すなわち、フィードバックチャネルがトランスポートブロックはｅＮＢによって正常に復号されたことを示すとき、同フィードバックチャネルの機能は、次のＨＡＲＱ処理の制御チャネルによって実現され得る。ＵＥによって次のＨＡＲＱ処理の制御チャネルが受信されるということは、トランスポートブロックがｅＮＢによって正常に復号されたことを意味する。換言すれば、ＵＥがトランスポートブロックの繰り返しセットの送信後に制御チャネルを受信したのであれば、トランスポートブロックの送信に成功したことを意味しており、現在のＨＡＲＱ処理は終了する。ＵＥは、受信したばかりの制御チャネルのスケジューリングに従って、別のトランスポートブロックの繰り返しを送信することができる。図８は、本開示の第１の実施形態に関する第２の例による、２つの隣接する例示的なＨＡＲＱ処理を示す概略図である。図８に示すように、第１のＨＡＲＱ処理において、第１の繰り返しセットおよび第２の繰り返しセットの両方の後にＤＴＸが続いて復号が失敗したことを示しており、ＵＥによって第３の繰り返しセットが送信されている。第３の繰り返しセットの送信後、ＵＥは制御チャネルを受信しているが、これは現在のトランスポートブロックがｅＮＢによって正常に復号されており、第１のＨＡＲＱ処理が終了したことを意味している。受信した制御チャネルにより、ＵＥの次のアップリンク送信をスケジューリングすることが可能である。この例では、最初の制御チャネル以外の制御チャネルが２つの機能を有する。第１に、最後のトランスポートブロックの送信に成功したことを示すことが可能である。第２に、次の送信をスケジューリングすることが可能である。第２の例によれば、ＰＨＩＣＨ電力を節減することができる。
【００３３】
第１の実施形態の第３の例では、フィードバックチャネルがトランスポートブロックはｅＮＢによって正常に復号されたことを示す場合、ＵＥは、直近の制御チャネル内の情報を用いて別のトランスポートブロックの繰り返しを送信する。換言すれば、フィードバックチャネルが、現在のトランスポートブロックが正常に復号されたかどうかを示すためだけでなく、新たなトランスポートブロックの送信をスケジューリングするためにも使用される。図９は、本開示の第１の実施形態に関する第３の例による、２つの隣接する例示的なＨＡＲＱ処理を示す概略図である。図９に示すように、第１のＨＡＲＱ処理は、制御チャネル（たとえば、ＰＤＣＣＨ）から開始されている。この制御チャネルは送信の始まりを示しており、場合によっては各繰り返しセットの繰り返し数も示す。そして、ＵＥは、制御チャネル（たとえば、ＰＨＩＣＨ）が復号の成功を示す（たとえば、「ＡＣＫ」）まで、トランスポートブロックの繰り返しを、たとえば１０個、毎回送信する。ＵＥは、制御チャネルから「ＡＣＫ」を受信した際、新たな制御チャネルを監視することなく別の新たなトランスポートブロックを送信することになり、また、ＵＥは、直近の制御チャネル内の情報（たとえば、繰り返し数、ＭＣＳ、リソース位置など）を用いて、新たなトランスポートブロックを送信することができる。このとき、第１のＨＡＲＱ処理において、制御チャネルによって示された初期スケジューリング割り当てを、新たなトランスポートブロック送信のために使用することができる。第１の実施形態の第３の例から見て取れるように、ＵＥの電力消費削減に加え、最初の１つ以外の制御チャネルを節減することが可能である。
【００３４】
第１の実施形態の上記第３の例によれば、一部のアップリンク送信が最初の制御チャネルから離れたものとなる可能性があるため、柔軟性が損なわれるおそれもある。しかし、各仕様に関する研究に基づけば、ＭＴＣの場合、各パケットに関してＰＤＣＣＨスケジューリングを行うことなく、アップリンクトラフィックを連続して送信することは可能である。
【００３５】
非特許文献２の分析に基づけば、ＭＴＣ  ＵＥについては、３つの典型的なアップリンクトラフィックが存在する。
【００３６】
（１）命令−応答トラフィック（トリガ型報告）。基地局とＷＡＮモジュールの間のトラフィックであり、命令（ダウンリンク）のために約２０バイト、応答（アップリンク）のために約１００バイトを用いる。
【００３７】
（２）ＷＡＮモジュールによる例外報告。この報告（アップリンク）は約１００バイトで、ＷＡＮモジュールにおけるイベントからの待機時間が３〜５秒のものとなり得る。
【００３８】
（３）定期報告またはキープアライブ。約１００バイト（アップリンク）。
【００３９】
上記のトラフィックの通りであれば、ＵＥは報告を行うために約８００ビットを必要とする。しかし、ＭＴＣでカバレッジを拡張する場合、最大ＰＳＤ（Ｐｏｗｅｒ  Ｓｐｅｃｔｒａｌ  Ｄｅｎｓｉｔｙ：電力スペクトル密度）を実現するために、わずかなビット（たとえば、１６ビットまたは７２ビット）しか搬送しないＰＲＢが１つ、サブフレーム内のアップリンクで送信されるのが通例である。よって、８００ビットの報告を１つ終了するには、ＵＥはより多くのパケットを送信する必要がある。加えて、ＭＴＣ  ＵＥはどちらかといえば静的であるため、各パケットに対する送信（すなわち、ＭＣＳおよびリソース位置）の適応は必須ではない。上記の分析に基づけば、各パケットに関してＰＤＣＣＨスケジューリングを行うことなく、アップリンクトラフィックを連続して送信することは可能である。第１の実施形態の第３の例によれば、時間−周波数リソースの節減が可能であり、かつＵＥの電力消費も抑えることができる。
【００４０】
第１の実施形態の第４の例では、フィードバックチャネルは、３つ以上の状態を示すことが可能となる。フィードバックチャネル（たとえば、ＰＨＩＣＨ）がトランスポートブロックはｅＮＢによって正常に復号されなかったことを示す（たとえば、「ＮＡＣＫ」）場合、ＵＥはトランスポートブロックの別の繰り返しセットを続けて送信し、フィードバックチャネルがトランスポートブロックはｅＮＢによって正常に復号されたことを示す（たとえば、「ＡＣＫ」）場合、ＵＥは直近の制御チャネル内の情報を用いて別のトランスポートブロックの繰り返しを直接送信し、フィードバックチャネルがｅＮＢによってトランスポートブロックが正常に復号されたか否かを示すのとは異なる状態を示す（たとえば、「ＤＴＸ」）場合、ＵＥは次の送信の前に次の制御チャネルを監視する。図１０は、本開示の一実施形態による、フィードバックチャネルの３つの状態を説明するための概略図である。図１０に示すように、制御チャネルが「ＮＡＣＫ」または「ＡＣＫ」を示す場合、ＵＥは、ＰＤＣＣＨを監視することなしに、現在のステータスがアップリンクの連続送信であると把握していることになる（すなわち、ＵＥは、同一トランスポートブロックの別の繰り返しセットを送信するか、別のトランスポートブロックの繰り返しを送信する）。しかし、ｅＮＢが制御チャネル内で何の信号も送信しない（すなわち、「ＤＴＸ」を示す）場合、ＵＥは、次の制御チャネル（たとえば、ＰＤＣＣＨ）を監視することになる。この例によれば、ＵＥは常に制御チャネルを監視する必要がないため、ＵＥの電力消費を抑えることが可能となる。
【００４１】
第１の実施形態の第５の例では、第１の実施形態において、ＳＰＳ機能がアーリーストッピングと組み合わせられる。アーリーストッピングを実現するために、各ＳＰＳ期間には複数の繰り返しセットおよびフィードバックチャネルが含まれ得るが、ＵＥは、新たなパケットを送信するには次のＳＰＳ期間まで待機する必要がある。この例では、最初の制御チャネルがＳＰＳ送信をスケジューリングし、フィードバックチャネルがトランスポートブロックはｅＮＢによって正常に復号されたことを示す場合、ＵＥは、次のＳＰＳ期間において別のトランスポートブロックの繰り返しを送信するまで待機する。図１１は、本開示の一実施形態による、アーリーストッピングと組み合わされたＳＰＳ機能を示す概略図である。図１１に示すように、最初の制御チャネル（たとえば、ＰＤＣＣＨ）は、アーリーストッピングを行うために、ＳＰＳ送信情報と、場合によっては各繰り返しセット内の繰り返し数とを示すことができる。第２のフィードバックチャネル（たとえば、ＰＨＩＣＨ）は、復号が成功したことを示しており（たとえば、「ＡＣＫ」）、それにより、現在のトランスポートブロックの送信は停止する。ただし、新たなトランスポートブロックの送信は、次のＳＰＳ期間（ＳＰＳ期間２）を待つ必要がある。
【００４２】
第１の実施形態の第６の例では、フィードバックチャネルは、次の送信のための繰り返しセットの粒度（すなわち、繰り返しセット内の繰り返しの個数）を示すこともできる。たとえば、フィードバックチャネルは２ビットで構成することが可能である。この２ビットがとり得る４つの状態を用いて、繰り返し粒度１（たとえば、１０個の繰り返し）での現在のトランスポートブロックの再送、繰り返し粒度２（たとえば、２０個の繰り返し）での現在のトランスポートブロックの再送、繰り返し粒度１での新たなトランスポートブロックの送信、および、繰り返し粒度２での新たなトランスポートブロックの送信を表すことができる。この例によれば、ｅＮＢは、たとえば最後の送信に基づいて、繰り返しセットの粒度を調整するためのいくらかの柔軟性を実現することができ、アクティブな時間を短縮することが可能となる。フィードバックチャネルが粒度を示す方法は、本明細書による方法に限定されるものではないことに留意されたい。たとえば、制御チャネルに２つのＰＨＩＣＨを持たせてよく、ＵＥは、ＰＨＩＣＨ１およびＰＨＩＣＨ２を、以下の表の通りに解釈することが可能である。
【００４３】
【表１】
0006580697.tif 000002
【００４４】
図１２は、本開示の一実施形態による、繰り返しセットの粒度調整の例を示す概略図である。図１２に示すように、第１のＨＡＲＱ処理において、粒度は１０個の繰り返し（粒度１）であり、変更されていない。しかし、第２のＨＡＲＱ処理では、ＰＨＩＣＨ１がＤＴＸ、ＰＨＩＣＨ２がＡＣＫであるというフィードバックにより、粒度が２０個の繰り返し（粒度２）へと変更されている。この例では、ｅＮＢは、最後のトランスポートブロック送信の状況に基づいて粒度調整を行うため、同ｅＮＢは、フィードバックを少なくすることができる。
【００４５】
第１の実施形態に関する上記の各例は、文脈において別段の断りのない限り、組み合わせることが可能であることに留意されたい。
【００４６】
（実施形態２）
本開示の第２の実施形態は、ランダムアクセス処理に関するものである。図１３は、本開示の第２の実施形態による、例示的なランダムアクセス処理を示す図である。ステップ１において、ＵＥは、メッセージ１（プリアンブル）の繰り返し（たとえば１０個の繰り返し）をｅＮＢに送信する。ｅＮＢは、メッセージ１を受信し復号するが、メッセージ１の復号に成功しない。よって、ステップ２において、ｅＮＢはＵＥに対し、メッセージ２において「失敗」とフィードバックを行う。次いで、ステップ３において、ＵＥは、メッセージ１の繰り返しを再度送信する。ｅＮＢは、ステップ３において繰り返しを受信し、ステップ１とステップ３の繰り返し（たとえば、合計で２０個の繰り返し）を組み合わせる。この時点で、ｅＮＢはメッセージ１を正常に復号し、よってステップ４において「成功」ことを示す。その後、ＵＥは、残りのランダムアクセス手順を続行する（たとえば、メッセージ３を送信し、メッセージ４を待機する）。このような手順により、ランダムアクセス中のアップリンクにおけるＵＥの繰り返し時間を最適化することができる。当然ながら、図１３の例では、復号に成功するまで、メッセージ１は２度にわたって送信されているが、本開示はこれに限定されるものではない。送信の終了は、復号が成功したという指示に応じたものとなる。換言すれば、ステップ１およびステップ３は、ｅＮＢがＵＥに対し「成功」ことを示すまで繰り返されることになる。
【００４７】
したがって、本開示の第２の実施形態により、ＵＥによって実行される無線通信方法、ｅＮＢによって実行される無線通信方法、ＵＥ、およびｅＮＢが提供される。ＵＥによって実行される無線通信方法には、ランダムアクセスのために第１のメッセージの繰り返しをｅＮＢに送信する、送信ステップと、第１のメッセージがｅＮＢによって正常に復号されたかどうかを示すために、ｅＮＢからフィードバックされる第２のメッセージを受信する、受信ステップとが含まれ得る。このとき、第２のメッセージが第１のメッセージはｅＮＢによって正常に復号されなかったことを示す場合、送信ステップおよび受信ステップは、第２のメッセージが第１のメッセージはｅＮＢによって正常に復号されたことを示すまで繰り返され、ｅＮＢは、ＵＥから受信したすべての第１のメッセージの繰り返しを組み合わせて第１のメッセージを復号する。
【００４８】
ｅＮＢによって実行される無線通信方法には、ランダムアクセスのためにＵＥによって送信された第１のメッセージの繰り返しを受信する、受信ステップと、第１のメッセージがｅＮＢによって正常に復号されたかどうかを示すために第２のメッセージをフィードバックする、フィードバックステップとが含まれ得る。このとき、第２のメッセージが第１のメッセージはｅＮＢによって正常に復号されなかったことを示す場合、受信ステップおよびフィードバックステップは、第２のメッセージが第１のメッセージはｅＮＢによって正常に復号されたことを示すまで繰り返され、ｅＮＢは、ＵＥから受信したすべての第１のメッセージの繰り返しを組み合わせて第１のメッセージを復号する。
【００４９】
本開示の第２の実施形態による無線通信方法のためのＵＥは、ランダムアクセスのために第１のメッセージの繰り返しをｅＮＢに送信するように構成される、送信ユニットと、第１のメッセージがｅＮＢによって正常に復号されたかどうかを示すために、ｅＮＢからフィードバックされる第２のメッセージを受信するように構成される、受信ユニットとを備える。このとき、第２のメッセージが第１のメッセージはｅＮＢによって正常に復号されなかったことを示す場合、送信ユニットおよび受信ユニットは、第２のメッセージが第１のメッセージはｅＮＢによって正常に復号されたことを示すまでそれ自体の動作を繰り返し、ｅＮＢは、ＵＥから受信したすべての第１のメッセージの繰り返しを組み合わせて第１のメッセージを復号する。
【００５０】
本開示の第２の実施形態による無線通信方法のためのｅＮＢは、ランダムアクセスのためにＵＥによって送信される第１のメッセージの繰り返しを受信するように構成される、受信ユニットと、第１のメッセージがｅＮＢによって正常に復号されたかどうかを示すために第２のメッセージをフィードバックするように構成される、フィードバックユニットとを備える。このとき、第２のメッセージが第１のメッセージはｅＮＢによって正常に復号されなかったことを示す場合、受信ユニットおよびフィードバックユニットは、第２のメッセージが第１のメッセージはｅＮＢによって正常に復号されたことを示すまでそれ自体の動作を繰り返し、ｅＮＢは、ＵＥから受信したすべての第１のメッセージの繰り返しを組み合わせて第１のメッセージを復号する。
【００５１】
本開示の第２に実施形態におけるＵＥおよびｅＮＢは、図５および図６におけるものと類似の構造を有してよく、図５および図６に関連する記述もこれに当てはまることに留意されたい。加えて、第１の実施形態は第２の実施形態と組み合わせることが可能であり、第１の実施形態に関する詳述は、文脈上別段の断りのない限り、第２の実施形態に当てはめてもよい。本開示の第２の実施形態によれば、ランダムアクセス中のアップリンクにおけるＵＥの繰り返し時間を最適化することができる。
【００５２】
本開示は、ソフトウェア、ハードウェア、またはハードウェアと協働するソフトウェアによって実現することができる。上記の各実施形態に関する記述において使用された機能ブロックの各々は、集積回路であるＬＳＩによって実現することが可能であり、各実施形態において説明した処理の各々は、ＬＳＩによって制御されてよい。各機能ブロックが個別にチップとして形成されても、１つのチップが機能ブロックの一部または全部を含むように形成されてもよい。そのようなチップには、それらそれ自体に結合されたデータ入出力が含まれ得る。ここでのＬＳＩとは、集積度の違いに応じて、ＩＣ、システムＬＳＩ、スーパーＬＳＩ、またはウルトラＬＳＩを指し得る。ただし、集積回路の実装技法はＬＳＩに限定されるものではなく、専用回路または汎用プロセッサを用いて実現することも可能である。加えて、ＬＳＩの製造後にプログラム可能なＦＰＧＡ（Ｆｉｅｌｄ  Ｐｒｏｇｒａｍｍａｂｌｅ  Ｇａｔｅ  Ａｒｒａｙ：フィールドプログラマブルゲートアレイ）、またはＬＳＩ内部に配置される回路セルの接続および設定を再構成可能な再構成可能プロセッサを使用することもできる。
【００５３】
本開示は、本明細書で提示した記述と既知の技術に基づき、本開示の内容および範囲から逸脱することなく、当業者によって多様な変更または修正がなされることを意図したものであり、かかる変更および応用は、特許請求による保護範囲内であることに留意されたい。さらに、本開示の内容から逸脱しない範囲で、上記実施形態の構成要素は任意で組み合わされてよい。
【００５４】
本開示の実施形態は、少なくとも以下の発明を提供することが可能である。
【００５５】
（１）ＵＥによって実行される無線通信方法であって、
トランスポートブロックの繰り返しをｅＮＢに送信することを含み、
ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、
複数の繰り返しセットの各々はトランスポートブロックの複数の繰り返しを含み、
複数の繰り返しセットの各々の後に、トランスポートブロックがｅＮＢによって正常に復号されたかどうかを示すためのフィードバックチャネルが続き、
フィードバックチャネルがトランスポートブロックはｅＮＢによって正常に復号されなかったことを示す場合、ＵＥが、トランスポートブロックの別の繰り返しセットを続けて送信する、無線通信方法。
【００５６】
（２）フィードバックチャネルがトランスポートブロックはｅＮＢによって正常に復号されたことを示す場合、ＵＥが、直近の制御チャネル内の情報を用いて別のトランスポートブロックの繰り返しを送信する、（１）に記載の無線通信方法。
【００５７】
（３）フィードバックチャネルがトランスポートブロックはｅＮＢによって正常に復号されたことを示す場合、ＵＥが、別のトランスポートブロックの繰り返しを送信する前に次の制御チャネルを監視する、（１）に記載の無線通信方法。
【００５８】
（４）フィードバックチャネルがトランスポートブロックはｅＮＢによって正常に復号されたことを示すとき、フィードバックチャネルの機能が次のＨＡＲＱ処理の制御チャネルによって実現され、
ＵＥによる次のＨＡＲＱ処理の制御チャネルの受信が、トランスポートブロックがｅＮＢによって正常に復号されたことを意味し、
フィードバックチャネルがトランスポートブロックはｅＮＢによって正常に復号されなかったことを示すとき、フィードバックチャネルが、信号を送信しない、（１）に記載の無線通信方法。
【００５９】
（５）フィードバックチャネルが、次の送信のための繰り返しセットの粒度も示す、（１）〜（３）のいずれか一項に記載の無線通信方法。
【００６０】
（６）１つのトランスポートブロックの最大繰り返し数が、制御チャネルによって示される、（１）〜（５）のいずれか一項に記載の無線通信方法。
【００６１】
（７）フィードバックチャネルがトランスポートブロックはｅＮＢによって正常に復号されたことを示す場合、ＵＥが、直近の制御チャネル内の情報を用いて別のトランスポートブロックの繰り返しを送信し、
フィードバックチャネルがｅＮＢによってトランスポートブロックが正常に復号されたか否かを示すのとは異なる状態を示す場合、ＵＥが、次の制御チャネルを監視する、（１）に記載の無線通信方法。
【００６２】
（８）最初の制御チャネルが、セミパーシステントスケジューリング（ＳＰＳ：ｓｅｍｉ−ｐｅｒｓｉｓｔｅｎｔ  ｓｃｈｅｄｕｌｉｎｇ）送信をスケジューリングし、
フィードバックチャネルがトランスポートブロックはｅＮＢによって正常に復号されたことを示す場合、ＵＥが、次のＳＰＳ期間において別のトランスポートブロックの繰り返しを送信するまで待機する、（１）に記載の無線通信方法。
【００６３】
（９）ｅＮＢによって実行される無線通信方法であって、
ＵＥから送信されたトランスポートブロックの繰り返しを受信することを含み、
ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、
複数の繰り返しセットの各々はトランスポートブロックの複数の繰り返しを含み、
ｅＮＢは、複数の繰り返しセットの各々を受信した後に現在のＨＡＲＱ処理において受信したすべてのトランスポートブロックの繰り返しセットを組み合わせることによってトランスポートブロックがｅＮＢによって正常に復号されたかどうかをフィードバックチャネル内で示し、
フィードバックチャネルがトランスポートブロックはｅＮＢによって正常に復号されなかったことを示す場合、ＵＥが、トランスポートブロックの別の繰り返しセットをｅＮＢが受信するように続けて送信する、無線通信方法。
【００６４】
（１０）フィードバックチャネルがトランスポートブロックはｅＮＢによって正常に復号されたことを示す場合、ＵＥが、直近の制御チャネル内の情報を用いて別のトランスポートブロックの繰り返しを送信する、（９）に記載の無線通信方法。
【００６５】
（１１）ｅＮＢが、次のＨＡＲＱ処理の制御チャネルを使用してトランスポートブロックがｅＮＢによって正常に復号されたことを示し、
フィードバックチャネルがトランスポートブロックはｅＮＢによって正常に復号されなかったことを示すとき、フィードバックチャネルが、信号を送信しない、（９）に記載の無線通信方法。
【００６６】
（１２）ｅＮＢが、制御チャネルにおいて１つのトランスポートブロックの最大繰り返し数を示す、（９）〜（１１）のいずれか一項に記載の無線通信方法。
【００６７】
（１３）フィードバックチャネルがトランスポートブロックはｅＮＢによって正常に復号されたことを示す場合、ＵＥが、直近の制御チャネル内の情報を用いて別のトランスポートブロックの繰り返しを送信し、
フィードバックチャネルがｅＮＢによってトランスポートブロックが正常に復号されたか否かを示すのとは異なる状態を示す場合、ＵＥが、次の送信の前に次の制御チャネルを監視する、（９）に記載の無線通信方法。
【００６８】
（１４）ｅＮＢが、最初の制御チャネルにおいてＳＰＳ送信をスケジューリングし、
フィードバックチャネルがトランスポートブロックはｅＮＢによって正常に復号されたことを示す場合、ＵＥが、次のＳＰＳ期間において別のトランスポートブロックの繰り返しを送信するまで待機する、（９）に記載の無線通信方法。
【００６９】
（１５）無線通信のためのＵＥであって、
トランスポートブロックの繰り返しをｅＮＢに送信するように構成される、送信ユニットを備え、
ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、
複数の繰り返しセットの各々はトランスポートブロックの複数の繰り返しを含み、
複数の繰り返しセットの各々の後に、トランスポートブロックがｅＮＢによって正常に復号されたかどうかを示すためのフィードバックチャネルが続き、
フィードバックチャネルがトランスポートブロックはｅＮＢによって正常に復号されなかったことを示す場合、ＵＥが、トランスポートブロックの別の繰り返しセットを続けて送信する、ＵＥ。
【００７０】
（１６）無線通信方法のためのｅＮＢであって、
ＵＥから送信されるトランスポートブロックの繰り返しを受信するように構成される、受信ユニットを備え、
ｅＮＢがトランスポートブロックを正常に復号するのにトランスポートブロックの繰り返しセットが１つでは十分でない場合、１つのＨＡＲＱ処理がトランスポートブロックの複数の繰り返しセットを含み、
複数の繰り返しセットの各々はトランスポートブロックの複数の繰り返しを含み、
ｅＮＢは、複数の繰り返しセットの各々を受信した後に現在のＨＡＲＱ処理において受信したすべてのトランスポートブロックの繰り返しセットを組み合わせることによってトランスポートブロックがｅＮＢによって正常に復号されたかどうかをフィードバックチャネル内で示し、
フィードバックチャネルがトランスポートブロックはｅＮＢによって正常に復号されなかったことを示す場合、ＵＥが、トランスポートブロックの別の繰り返しセットをｅＮＢが受信するように続けて送信する、ｅＮＢ。
【００７１】
（１７）ＵＥによって実行される無線通信方法であって、
ランダムアクセスのために第１のメッセージの繰り返しをｅＮＢに送信する、送信ステップと、
第１のメッセージがｅＮＢによって正常に復号されたかどうかを示すために、ｅＮＢからフィードバックされる第２のメッセージを受信する、受信ステップとを含み、
第２のメッセージが第１のメッセージはｅＮＢによって正常に復号されなかったことを示す場合、送信ステップおよび受信ステップが、第２のメッセージが第１のメッセージはｅＮＢによって正常に復号されたことを示すまで繰り返され、
ｅＮＢが、ＵＥから受信したすべての第１のメッセージの繰り返しを組み合わせて第１のメッセージを復号する、無線通信方法。
【００７２】
（１８）ｅＮＢによって実行される無線通信方法であって、
ランダムアクセスのためにＵＥによって送信される第１のメッセージの繰り返しを受信する、受信ステップと、
第１のメッセージがｅＮＢによって正常に復号されたかどうかを示すために第２のメッセージをフィードバックする、フィードバックステップとを含み、
第２のメッセージが第１のメッセージはｅＮＢによって正常に復号されなかったことを示す場合、受信ステップおよびフィードバックステップが、第２のメッセージが第１のメッセージはｅＮＢによって正常に復号されたことを示すまで繰り返され、
ｅＮＢが、ＵＥから受信したすべての第１のメッセージの繰り返しを組み合わせて第１のメッセージを復号する、無線通信方法。
【００７３】
（１９）無線通信のためのＵＥであって、
ランダムアクセスのために第１のメッセージの繰り返しをｅＮＢに送信するように構成される、送信ユニットと、
第１のメッセージがｅＮＢによって正常に復号されたかどうかを示すために、ｅＮＢからフィードバックされる第２のメッセージを受信するように構成される、受信ユニットとを備え、
第２のメッセージが第１のメッセージはｅＮＢによって正常に復号されなかったことを示す場合、送信ユニットおよび受信ユニットが、それ自体の動作を、第２のメッセージが第１のメッセージはｅＮＢによって正常に復号されたことを示すまで繰り返し、
ｅＮＢが、ＵＥから受信したすべての第１のメッセージの繰り返しを組み合わせて第１のメッセージを復号する、ＵＥ。
【００７４】
（２０）無線通信方法のためのｅＮＢであって、
ランダムアクセスのためにＵＥによって送信される第１のメッセージの繰り返しを受信するように構成される、受信ユニットと、
第１のメッセージがｅＮＢによって正常に復号されたかどうかを示すために第２のメッセージをフィードバックするように構成される、フィードバックユニットとを備え、
第２のメッセージが第１のメッセージはｅＮＢによって正常に復号されなかったことを示す場合、受信ユニットおよびフィードバックユニットが、それ自体の動作を、第２のメッセージが第１のメッセージはｅＮＢによって正常に復号されたことを示すまで繰り返し、
ｅＮＢが、ＵＥから受信したすべての第１のメッセージの繰り返しを組み合わせて第１のメッセージを復号する、ｅＮＢ。
上記の方法における技術的特徴は、上記のＵＥおよび／またはｅＮＢに組み込むことも可能であることに留意されたい。加えて、本開示の各実施形態は、上記の各通信方法におけるステップを実行するためのモジュールを備える集積回路も提供し得る。さらに、本実施形態は、コンピューティングデバイス上での実行時に上記の各通信方法のステップを遂行するプログラムコードを含むコンピュータプログラムを内部に記憶する、コンピュータ可読記憶媒体も提供し得る。
【図１】
0006580697.tif 000003
【図２】
0006580697.tif 000004
【図３】
0006580697.tif 000005
【図４】
0006580697.tif 000006
【図５】
0006580697.tif 000007
【図６】
0006580697.tif 000008
【図７】
0006580697.tif 000009
【図８】
0006580697.tif 000010
【図９】
0006580697.tif 000011
【図１０】
0006580697.tif 000012
【図１１】
0006580697.tif 000013
【図１２】
0006580697.tif 000014
【図１３】
0006580697.tif 000015